(57)【要約】逐次的にビルドアップされる複数の水平ラインにより構成されたビデオピクチャを表示するテレビジョン受像機用のＡＧＣ検出器およびＡＧＣ検出方法であって、フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ信号が入力される、ＡＧＣ検出器およびＡＧＣ検出方法が開示される。さらに、水平同期パルスのライン期間に一致する期間を有するゲートパルスが生成される。前記ゲートパルスは、水平同期パルスのバックポーチ領域で発生するように調整される。本発明の特徴は、ゲートパルスが、フロントポーチ領域と次のバックポーチ領域との間の時間差に一致する時間間隔だけ先に発生し、または、バックポーチ領域と次のフロントポーチ領域との間の時間差に一致する時間間隔だけ後に発生するように、ゲートパルスの発生が垂直同期期間のセレーションパルス領域の間でシフトされることである。
2005517360.tif 000002
【特許請求の範囲】
【請求項１】
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ（カラービデオブランキング同期）信号を入力する手段と、
水平同期パルスのライン期間に一致する期間を有するゲートパルスを生成する手段と、
前記ゲートパルスが水平同期パルスに対するバックポーチ領域で発生するように前記ゲートパルスを調整する手段と、
を備え、
逐次的にビルドアップされる複数の水平ラインにより構成されたビデオピクチャを表示するテレビジョン受像機用のＡＧＣ（自動利得制御）検出器であって、
前記ゲートパルスが、フロントポーチ領域と次のバックポーチ領域との間の時間差に対応する時間間隔だけ先に発生するように、または、バックポーチ領域と次のフロントポーチ領域との間の時間差に対応する時間間隔だけ後に発生するように、垂直同期期間のセレーションパルス領域の間で前記ゲートパルスの発生をシフトする手段によって特徴付けられる、
装置。
【請求項２】
水平同期パルスのバックポーチ領域の発生を検出する第１の手段と、
水平同期パルスのフロントポーチ領域の発生を検出する第２の手段と、
が設けられ、
前記第１および第２の検出する手段は前記シフトする手段に接続され、少なくとも前記第１の検出する手段は前記調整する手段に接続される、
ことを特徴とする、請求項１に記載の装置。
【請求項３】
当該装置はデジタルＡＧＣ検出器であることを特徴とする、請求項１または２に記載の装置。
【請求項４】
当該装置はアナログテレビジョン受像機のため設けられたことを特徴とする、請求項１から３のいずれか一項に記載の装置。
【請求項５】
前記ゲートパルスを生成する手段はＰＬＬ回路を含む、請求項１から４のいずれか一項に記載の装置。
【請求項６】
前記ＰＬＬ回路は水平ＰＬＬ回路であり、
前記ゲートパルスを生成する手段は垂直積分器をさらに含む、
請求項５に記載の装置。
【請求項７】
前記ゲートパルスを生成する手段は同期スライサを含む、請求項１から６のいずれか一項に記載の装置。
【請求項８】
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ（カラービデオブランク同期）信号を入力するステップと、
水平同期パルスのライン期間に一致する期間を有するゲートパルスを生成するステップと、
前記ゲートパルスが水平同期パルスに対するバックポーチ領域で発生するように前記ゲートパルスを調整するステップと、
を有し、
逐次的にビルドアップされる複数の水平ラインにより構成されたビデオピクチャを表示するテレビジョン受像機用のＡＧＣ（自動利得制御）を検出する方法であって、
前記ゲートパルスが、フロントポーチ領域と次のバックポーチ領域との間の時間差に対応する時間間隔だけ先に発生するように、または、バックポーチ領域と次のフロントポーチ領域との間の時間差に対応する時間間隔だけ後に発生するように、垂直同期期間のセレーションパルス領域の間で前記ゲートパルスの発生をシフトするステップをさらに含むことを特徴とする、方法。
【請求項９】
少なくともセレーションパルス領域の間で前記ゲートパルスの発生をシフトするステップは、デジタルドメインで実行されることを特徴とする、請求項８に記載の方法。
【請求項１０】
アナログ方式テレビジョン受像機に設けられることを特徴とする、請求項８または９に記載の方法。
【発明の詳細な説明】
【技術分野】
【０００１】
本発明は、逐次的にビルドアップされる複数の水平ラインにより構成されたビデオピクチャを表示するテレビジョン受像機用のＡＧＣ（自動利得制御）検出器であって、
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ（カラービデオブランキング同期）信号を入力する手段と、
水平同期パルスのライン期間に一致する期間を有するゲートパルスを生成する手段と、
ゲートパルスが水平同期パルスのバックポーチ領域で発生するように前記ゲートパルスを調整する手段と、
を備えたＡＧＣ検出器に関する。
【０００２】
さらに、本発明は、逐次的にビルドアップされる複数の水平ラインにより構成されたビデオピクチャを表示するテレビジョン受像機用のＡＧＣ検出方法であって、
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ信号を入力するステップと、
水平同期パルスのライン期間に一致する期間を有するゲートパルスを生成するステップと、
ゲートパルスが水平同期パルスのバックポーチ領域で発生するように前記ゲートパルスを調整するステップと、
を含むＡＧＣ検出方法に関する。
【背景技術】
【０００３】
テレビジョン受像機用のいわゆるデジタルバックレベル（バックポーチ）自動利得制御は既に公知であり、水平ライン周波数がビデオ出力信号のバックポーチ領域におけるレベルを決定するため使用されている。これは、ブラック用の基準レベルと比較され、その差は結果として生じるループ利得誤差である。この結果として生じるループ利得誤差は、積分され、デジタル／アナログ変換され、最終的に、ビデオ出力電圧を一定に保つため、アナログ式ノンクリティカル１次ポストフィルタを介してアナログＡＧＣアンプへ供給される。
【０００４】
しかし、一部の特定の条件では、ビデオ出力電圧は、変化するマルチパス受信の結果として生じる「航空機フラッタ（ａｉｒｐｌａｎｅ  ｆｌｕｔｔｅｒ）」と呼ばれる負の効果による影響を受ける。特に、この負の効果のため、ビデオ出力電圧はいかなるときも一定に保たれず、変化し、場合によっては、ビデオ出力電圧は完全に歪む。この負の効果は、画像および音声の品質をかなり低下させることになる。
【０００５】
垂直同期期間の一部分であるセレーションパルス領域（テレビジョン規格に応じて１９から２５のライン期間に一致する）は、特に、クリティカルな期間である。なぜならば、セレーションパルスは、バックポーチ領域を含まず、むしろ同期ピークを含むが、ゲートパルスは水平同期パルスのバックポーチ領域に基づいて同期させられるからである。
【０００６】
したがって、従来のＡＧＣ検出器では、水平ゲーティング手順は、上記のクリティカルな期間中に抑えられるか、または、凍結される。しかし、これは、上記のフィールド条件下では画像に可視的な妨害を引き起こす。
【０００７】
セレーションパルス領域の間でゲーティングを禁止することも公知である。しかし、その結果として、高速ＡＧＣ応答が要求される場合に、誤ったＡＧＣ動作が不快な状態で生じる。すなわち、全てのテレビジョン規格に対して２．５から３ライン期間持続するセレーションパルス領域の間でゲーティングが中断されるとき、自動利得制御は、その期間中に航空機フラッタ効果に反応できない。その結果として、ビデオ出力レベルはこれに応じて変化し、ピクチャコントラストを変化させ、場合によっては、同期を失わせる原因となる。
【発明の開示】
【発明が解決しようとする課題】
【０００８】
本願の目的は、良好な画像および音声の効果を維持した状態で航空機フラッタ受信条件に追従するため十分に高速である自動利得検出器および自動利得制御検出方法を提供することである。
【課題を解決するための手段】
【０００９】
上記の目的およびさらなる目的を達成するため、本発明の第１の態様によれば、
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ信号を入力する手段と、
水平同期パルスのライン期間に一致する期間を有するゲートパルスを生成する手段と、
ゲートパルスが水平同期パルスのバックポーチ領域で発生するように前記ゲートパルスを調整する手段と、
を備えた、逐次的にビルドアップされる複数の水平ラインにより構成されたビデオピクチャを表示するテレビジョン受像機用のＡＧＣ検出器であって、
ゲートパルスが、フロントポーチ領域と次のバックポーチ領域との間の時間差に対応する時間間隔だけ先に発生するように、または、バックポーチ領域と次のフロントポーチ領域との間の時間差に対応する時間間隔だけ後に発生するように、垂直同期期間のセレーションパルス領域の間で前記ゲートパルスの発生をシフトする手段によって特徴付けられる、ＡＧＣ検出器が提供される。
【００１０】
本発明の第２の態様によれば、
フロントポーチ領域およびバックポーチ領域を有し、現在のビデオピクチャを生成する水平同期期間中に水平ラインごとに１回ずつ発生する水平同期パルスと、新しいビデオピクチャの生成前に垂直同期期間中に発生し、垂直同期期間の一部分であるセレーションパルス領域の間で発生するセレーションパルスを含む垂直同期パルスと、を更に含むＣＶＢＳ信号を入力するステップと、
水平同期パルスのライン期間に一致する期間を有するゲートパルスを生成するステップと、
ゲートパルスが水平同期パルスのバックポーチ領域で発生するように前記ゲートパルスを調整するステップと、
を有し、逐次的にビルドアップされる複数の水平ラインにより構成されたビデオピクチャを表示するテレビジョン受像機用のＡＧＣ検出方法であって、
ゲートパルスが、フロントポーチ領域と次のバックポーチ領域との間の時間差に対応する時間間隔だけ先に発生するように、または、バックポーチ領域と次のフロントポーチ領域との間の時間差に対応する時間間隔だけ後に発生するように、垂直同期期間のセレーションパルス領域の間で前記ゲートパルスの発生をシフトするステップをさらに含むことを特徴とする、ＡＧＣ検出方法が提供される。
【００１１】
したがって、本発明は、良好なピクチャおよびサウンドの効果を維持した状態で航空機フラッタ受信条件に追従するため十分に高速である新しいＡＧＣ検出器および新しいＡＧＣ検出方法を提供する。これは、多数（特に３個）の時間をシフトさせた水平同期パルスでセレーションパルス領域をゲーティングすることにより、および、フロントポーチ測定から誤差信号を取得することにより達成される。換言すると、ゲーティングは、テレビジョン規格に応じて１９から２５ライン期間に亘り持続する垂直同期期間のセレーションパルス領域の間でバックポーチからフロントポーチへ変更される。その結果として、航空機フラッタ中にビデオ出力信号を制御するために、したがって、ビデオ信号出力を常に一定レベルに保つために必要である高速応答が実現される。このように、本発明によって、ＡＧＣループは常に閉じたままであり、優れた性能で機能し得ることが保証される。
【００１２】
結局、本発明の利点は、テレビジョン受信機が、高速の下であっても、たとえば、車の中でも良好な画像と音声の品質を生み出すことである。従って、本発明は、移動テレビジョンに、特に好都合である。
【００１３】
本発明のさらなる有利な実施形態は従属請求項に記載されている。
【００１４】
好ましくは、水平同期パルスのバックポーチ領域の発生を検出する第１の手段と、水平同期パルスのフロントポーチ領域の発生を検出する第２の手段とが設けられ、前記第１および第２の検出する手段は前記シフトする手段に接続され、少なくとも前記第１の検出する手段は前記調整する手段に接続される。
【００１５】
さらに別の好ましい一実施形態では、装置はデジタルＡＧＣ検出器である。すなわち、セレーション領域の間のバックポーチからフロントポーチへのゲーティングの変更は、デジタルドメインで起こり得るので、容易に行うことができる。
【００１６】
特に、本発明は、アナログ方式テレビジョン受像機に設けることができる。
【００１７】
好ましくは、ゲートパルス生成手段は、水平ＰＬＬ回路でもよいＰＬＬ回路を含み、ゲートパルス生成手段は、垂直積分器をさらに含む。すなわち、地上のノイズを含む条件に対して、水平ＰＬＬおよび垂直積分器からゲートパルスを供給することが有利である。
【００１８】
良好な地上のピクチャ条件のため、および、ＲＦ変調器を介したＶＣＲ（ビデオカセットレコーダ）／ＳＴＢ（セットトップボックス）モードにおいて、ゲートパルスは、従来の同期スライサから得ることも可能である。
【００１９】
ＶＣＲ／ＳＴＢモードにおいてコピー防止（例えば、マクロビジョン）がセットされているとき、一部のゲートパルスは無視される。
【００２０】
以下、添付図面を参照して好ましい一実施形態に基づいて本発明をより詳細に説明する。
【発明を実施するための最良の形態】
【００２１】
アナログ方式テレビジョン受像機用のゲート付きデジタルＡＧＣ（自動利得制御）回路の好ましい一実施形態の略ブロック図が図１に示されている。図示された回路は、ＩＦ（中間周波）信号を入力する入力端子２を含む。入力端子２は、制御可能型アナログＡＧＣアンプ４の入力に接続され、その出力は、利得制御されたＩＦ信号を出力する出力端子６に接続されている。アナログＡＧＣアンプ４の出力は、さらに、アナログ／デジタル変換器８の入力に接続され、その出力はデジタル信号処理部１０の入力に接続される。デジタル信号処理部１０の出力はビットストリームデジタル／アナログ変換器１２の入力に接続され、その出力はフィードバックループ１４を介してアナログ式ノンクリティカル１次ポストフィルタ１６に接続される。ポストフィルタ１６の出力信号はＡＧＣアンプ４を制御する制御信号である。
【００２２】
デジタル信号処理部１０において、ＣＶＢＳ（カラービデオブランキング同期）信号は、アナログ−デジタル変換器８によってデジタル化された入力ＩＦ信号の復調により生成される。さらに、デジタル信号処理部１０では、水平ライン周波数はＣＶＢＳ信号から得られ、ＣＶＢＳ信号のバックポーチ領域におけるレベルを決定するため使用される。このレベルはブラック用の基準レベルと比較される。この目的のため、Ｈ−ＰＬＬ回路がデジタル信号処理部１０に設けられる。ＣＶＢＳ信号のバックポーチ領域におけるレベルと、ブラック用の基準レベルとの間の差は、結果として生じるループ利得誤差であり、デジタル信号処理部１０で積分される。そのため、ゲートパルスは、Ｈ−ＰＬＬおよびＶ−積分器から供給されることにより生成される。しかし、これは、主として地上のノイズを含む条件に対するものである。良好な地上のピクチャ条件、および、ＲＦ変調器を介するＶＣＲ（ビデオカセットレコーダ）／ＳＴＢ（セットトップボックス）モードにおいて、一部のゲートパルスは、デジタル信号処理部１０に含まれる従来の同期スライサから得られる。ＶＣＲまたはＳＴＢからのコピー防止（例えば、マクロビジョン）がセットされているとき、一部のゲートパルスは無視される。この目的のため、対応するフラグがデジタル信号処理部１０でセットされる。
【００２３】
マルチビットＡＧＣ誤差信号がデジタル信号処理部１０から出力され、デジタル／アナログ変換器１２によってアナログ信号へ変換され、ＡＧＣアンプ４の出力信号を一定に保つため、フィードバックループ１４およびポストフィルタ１６を介してＡＧＣ誤差信号としてＡＧＣアンプ４へ供給される。
【００２４】
ゲートパルスの発生は、水平同期パルスのバックポーチ領域と同期する。しかし、クリティカルな期間は、垂直同期期間の一部分を形成するセレーションパルス領域であり、そこではバックポーチ領域をもたないセレーションパルスが発生する。図２には、航空機フラッタの影響を含まないＣＶＢＳ信号の波形、特に、セレーションパルス領域を含む垂直同期期間の始まりの間のＣＶＢＳ信号の波形が示されている。
【００２５】
最新技術は、セレーションパルス領域の間で水平ゲーティング手続を維持するか、または、それを凍結する。セレーションパルス領域の間でゲーティングを禁止することも公知である。その結果として、高速ＡＧＣ応答が要求される場合に、誤ったＡＧＣ動作が不快な状態で生じる。すなわち、航空機フラッタ（変化するマルチパス受信）の間に出力されたＣＶＢＳ信号を制御し、それを常に一定レベルに保つために、高速応答が必要である。しかし、全てのテレビジョン規格に対して２．５から３ライン期間持続するセレーションパルス領域の間でゲーティングが中断されるとき、自動利得制御は、そのクリティカルな時間中に航空機フラッタ効果に反応できない。その結果として、ビデオ出力レベルはこれに応じて変化し、ピクチャコントラストを変化させ、場合によっては、同期を失わせる原因となる。この状況は、航空機フラッタの影響下におけるＣＶＢＳ信号の波形（８０％ＡＭ、８０Ｈｚ）を表し、ＣＶＢＳ波形の下に上向き矢印で示されたゲートパルスをさらに表す図３に記載されている。
【００２６】
この望ましくない影響を解決するため、デジタル信号処理部１０は、セレーションパルス領域の間でバックポーチからフロントポーチへゲーティングを変更する。そのため、セレーションパルス領域は、フロントポーチ測定から誤差信号を取得することにより３個の時間をシフトさせた同期パルスでゲーティングされる。デジタルドメインでは、これは高精度で行われる。したがって、ＡＧＣループは常に閉じた状態を継続するので、優れた性能で機能し得る。この状況は、航空機フラッタの発生下におけるＣＶＢＳ信号の波形（８０％ＡＭ、８０Ｈｚ）を表し、ＣＶＢＳ波形の下に上向き矢印で示されたゲートパルスをさらに表す図４に記載され、そこでは、フロントポーチゲーティングがセレーションパルス領域で実行される。
【００２７】
図５は、図４に関する同期パルスおよびゲートパルスのタイミング時点をより詳細に示す。特に、図５は、バックポーチゲーティング中に、ゲートパルスが同期パルスの発生よりも時間差ΔＴ１だけ後に発生し、一方、フロントポーチゲーティングが実行されるセレーションパルス領域の間で、ゲートパルスが同期パルスの発生よりも時間差ΔＴ２だけ先に発生することを詳細に示している。このように、図５によれば、ゲートパルスは、セレーションパルス領域の間でフロントポーチ領域に当たるように、合計時間差ΔＴ１＋ΔＴ２に対応した時間間隔だけ先に発生する。
【００２８】
図６は、バックポーチゲーティングからフロントポーチゲーティングへ変更する代替的な方法を示し、ゲートパルスは、セレーションパルス領域の間の次のフロントポーチ領域と後続のフロントポーチ領域に当たるように、同期パルスの発生よりも時間間隔ΔＴ３だけ遅延される。かくして、図６の状況では、ゲートパルスは、バックポーチゲーティングからフロントポーチゲーティングへ変わるように、セレーションパルス領域内で第１のバックポーチ領域と次のフロントポーチ領域との間の時間差ΔＴ３−ΔＴ１に対応した時間間隔だけ後に発生する。これに関して、バックポーチゲーティングからフロントポーチゲーティングへの変更の種類の違いを除いて、図６の状況は図４および５の状況と同じであることを補足する必要がある。
【００２９】
結局、図４から６は、航空機フラッタがＣＶＢＳ信号の波形に負の効果を与えないことを明瞭に示している。
【００３０】
上記の説明から明らかになるように、デジタル信号処理部１０（図１）は、特に、ＡＧＣ検出器の機能を含む。
【００３１】
最後に、以下の３通りの一般的なケースが区別される。
【００３２】
１）ノイズを含む地上の受信モード
ゲートパルスは、デジタル信号処理部１０（図１）に含まれたＨ−ＰＬＬおよびＶ−積分器から得られる。さらに、ＡＧＣループ帯領域幅は、ノイズスパイクに対処するため小さくされる（ＡＧＣ速度を低くする）。航空機フラッタはこのケースではノイズによってマスクされる。
【００３３】
２）良好な地上の受信およびＶＣＲ／ＳＴＢモード
閾値検出器は、ＩＦ（中間周波）レベルを監視するため、デジタルドメインでＡＧＣ電圧を検知する。ＩＦレベルが非常に高いため、良好な、ほぼノイズを含まないピクチャ品質が期待できるときに、フラグがセットされる。ビデオ情報を伝搬する殆どのアクティブラインの間に、Ｈ−ＰＬＬはゲートパルスを供給する。しかし、ＶＣＲヘッドスイッチングが原因となって、高速のＨ−ＰＬＬであっても、一部のラインの追跡がタイミングジッタのために不良になる。したがって、通常の同期スライサがデジタル信号処理部１０（図１）で利用される。ＶＣＲヘッドスイッチングは、垂直同期期間の前に起こる。そのため、同期スライサは、（一例として）２０ライン期間に垂直同期期間を加えることにより得られる合計で３９から４５ライン期間に亘ってゲートパルスを供給する。
【００３４】
３）マクロビジョンコピー防止付きの２）に類似したモード
この状況は、コピー防止パルスが発生しているかどうかを見つけ出す特殊な回路で検出される。そのケースでは、Ｈ−ＰＬＬゲートパルスは、垂直同期期間中（これは、マクロビジョンコピー防止信号が発生する期間である）に妨害される。これを実行可能である理由は、マクロビジョン保護信号の場合に航空機フラッタは予想されないからである。
【００３５】
本発明は添付図面に表された例に関して説明されているが、本発明はその例に限定されることがなく、添付の特許請求の範囲に記載された範囲内で様々に変わり得ることが明白である。
【図面の簡単な説明】
【００３６】
【図１】ゲート付きデジタルＡＧＣ回路の好ましい一実施形態の略ブロック図である。
【図２】航空機フラッタを含まないＣＶＢＳ信号の波形を表すグラフである。
【図３】航空機フラッタの影響下でセレーションパルス領域の間にゲートパルスを用いないＣＶＢＳ信号の波形を表すグラフである（従来技術）。
【図４】航空機フラッタの影響下でセレーションパルス領域の間にフロントポーチゲートパルスを用いるＣＶＢＳ信号の波形を表すグラフである。
【図５】バックポーチからフロントポーチへゲーティングを変更する方法の第１の代替例による同期パルスおよびゲートパルスのタイミング時点のさらなる詳細が示された図４のＣＶＢＳ信号の波形を表すグラフである。
【図６】バックポーチからフロントポーチへゲーティングを変更する方法の第２の代替例による同期パルスおよびゲートパルスのタイミング時点のさらなる詳細が示された図４のＣＶＢＳ信号の波形を表すグラフである。
【図１】
2005517360.tif 000003
【図２】
2005517360.tif 000004
【図３】
2005517360.tif 000005
【図４】
2005517360.tif 000006
【図５】
2005517360.tif 000007
【図６】
2005517360.tif 000008
【国際調査報告】
2005517360.tif 000009
2005517360.tif 000010